(57)【要約】【課題】取付時に不具合の起こりやすい床材を用いることなく良好なシール性を確保し、外調機に設けても耐候性、耐水性に優れるガスケットを使用したエアフィルタを提供する。【解決手段】フィルタパック３を構成するジグザグに折り畳まれた濾材１のジグザグ状の端部に、平面部４を設けてフィルタ枠５に収納し、フィルタパック３の下流通風面の周縁部とフィルタ枠５の舟部５ａとの間にガスケット６を設けるとともに、平面部４が、濾材１のジグザグ状の端縁近傍に塗布したリボン材を当接させてなることを特徴とする。【選択図】図１
2008006416.tif 000002
【特許請求の範囲】
【請求項１】
フィルタパックを構成するジグザグに折り畳まれた濾材のジグザグ状の端部に、平面部を設けてフィルタ枠に収納し、前記フィルタパックの下流通風面の周縁部と前記フィルタ枠の舟部との間にガスケットを設けるとともに、前記平面部が、前記濾材のジグザグ状の端縁近傍に塗布したリボン材を当接させてなることを特徴とするエアフィルタ。
【請求項２】
前記ガスケットの５０％圧縮応力（ＪＩＳ  Ｋ６７６７準拠）が、１０ｋＰａ以上、８０ｋＰａ未満であることを特徴とする請求項１に記載のエアフィルタ。
【発明の詳細な説明】
【技術分野】
【０００１】
本発明は、外調機等のビル空調用に使用されるエアフィルタに関する。
【背景技術】
【０００２】
従来、外調機等のビル空調用に使用されるフィルタとしては、従来フィルタの正常時の断面図である図３（ａ）に示すようなフィルタが一般的に使用されている。図３（ａ）に示すように、従来のエアフィルタは、ジグザグに折り畳まれた濾材１１と濾材１１の間隔を保持するリボン材１２とからなるフィルタパック１３をフィルタ枠１５に収納してなる。
ここで、フィルタ枠１５は、クロロプレン系ゴム製のガスケット１６を介してフィルタパック１３の下流側端部と当接する舟部１５ａと、床材１４によりフィルタパック１３の上下端部を固定する平部１５ｂと、上流及び下流側の端部１５ｃとを含む。床材１４は、フィルタパック１３の上下端部とフィルタ枠１５の平部１５ｂとをシールするものであり、ガスケット１６は、フィルタパック１３の下流側端部とフィルタ枠１５の舟部１５ａとの間をシールするものである。また、フィルタ枠１５の下流側端部には、クロロプレン系ゴム製のガスケット１７が設けられている。
なお、床材１４とガスケット１６とを一体化して、ウレタンフォーム製の床材兼用ガスケットとする場合もある。この場合、ウレタンフォーム製のものは柔らかいため、フィルタ枠とのシール性に優れ、取り扱いもし易いと考えられていた。
他の従来例として、ガスケット１６を使用せずフィルタパックの端部に紙製床材を設けて、フィルタパックと紙製床材はホットメルトで固定したものもあった（図示せず）。
【発明の開示】
【発明が解決しようとする課題】
【０００３】
しかしながら、従来のエアフィルタでは、図３（ｂ）に示すように、フィルタ枠１５にフィルタパック１３を取り付ける際に、フィルタパック１３に貼られた床材１４あるいは床材兼用ガスケットがフィルタ枠１５の平部１５ｂとの間で擦れて剥がれ、その結果その部分にシール不良が発生するという問題があった。
また、ウレタンフォーム製ガスケットを用いているエアフィルタを外調機に使用する場合、ウレタンフォーム製ガスケットは雨水により加水分解を起こし、日光により劣化してボロボロになるという問題があった。
また、他の従来例であるガスケットを使用せずフィルタパックの端部に紙製床材を設けて、フィルタパックと紙製床材はホットメルトで固定したものも、紙製床材とフィルタ枠の隙間からエアリークが生じる可能性があるという問題があった。
【０００４】
本発明は、このような従来のエアフィルタに存在する課題を解決するためになされたものであり、その目的とするところは、取付時に不具合の起こりやすい床材を用いることなく良好なシール性を確保し、外調機に設けても耐候性、耐水性に優れるガスケットを使用したエアフィルタを提供することにある。
【課題を解決するための手段】
【０００５】
かかる課題を解決すべく、本発明者らは鋭意検討の結果、以下の構成を見出した。即ち、本発明のエアフィルタは、請求項１の記載の通り、
フィルタパックを構成するジグザグに折り畳まれた濾材のジグザグ状の端部に、平面部を設けてフィルタ枠に収納し、前記フィルタパックの下流通風面の周縁部と前記フィルタ枠の舟部との間にガスケットを設けるとともに、前記平面部が、前記濾材のジグザグ状の端縁近傍に塗布したリボン材を当接させてなることを特徴とする。
また、請求項２に記載のエアフィルタは、請求項１に記載のエアフィルタにおいて、前記ガスケットの５０％圧縮応力（ＪＩＳ  Ｋ６７６７準拠）が、１０ｋＰａ以上、８０ｋＰａ未満であることを特徴とする。
【発明の効果】
【０００６】
本発明の請求項１のエアフィルタによれば、フィルタパックを構成するジグザグに折り畳まれた濾材のジグザグ状の端部に平面部を設けて、平面部が濾材のジグザグ状の端縁近傍に塗布したリボン材を当接させてなることにより、フィルタパックの上下端部とフィルタ枠平部との間に床材等の別部材を使用することなく、その間でのシール性を確保することができる。このため、従来のエアフィルタにおいて、フィルタパックに貼り付けた床材が取付け時に剥がれてシール不良を起こしたような問題を解消することができる。
また、フィルタパックの下流通風面の周縁部とフィルタ枠の舟部の間にガスケットを設けたことにより、空気がフィルタパックのリボン材による平面部とフィルタ枠の側面平部の間を通って抜けることを効果的に防止し、優れたシール性を発揮することができる。
また、本発明の請求項２のエアフィルタによれば、フィルタパックの下流通風面の周縁部とフィルタ枠の舟部との間に従来から使用されているガスケットは、５０％圧縮応力（ＪＩＳ  Ｋ６７６７準拠）が１３０ｋＰａ程度と大きな締め付け力によりシール性を確保していたが、この５０％圧縮応力を１０ｋＰａ以上、８０ｋＰａ未満の低圧力でシール性を確保することができる。
【発明を実施するための最良の形態】
【０００７】
以下、本発明のエアフィルタの好適な実施の形態を添付図面を参照しつつ詳細に説明する。図１は、本発明のエアフィルタの一実施形態を示す断面図を示している。
図１に示すように、本発明のエアフィルタは、ジグザグに折り畳まれた濾材１と濾材１の間隔を保持するリボン材２とからなるフィルタパック３をフィルタ枠５に収納してなるものである。ジグザグ状となる濾材１の片面の両端縁近傍には、この両端縁に沿って線状にホットメルト樹脂からなるリボン材２を塗布し、濾材１が折り曲げられた際に、当接したリボン材２で構成される平面部４をフィルタパック３に設けるようにした。
フィルタ枠５は、ガスケット６を介してフィルタパック３の下流通風面の周縁部と当接する舟部５ａと、フィルタパック３の上下端面、すなわち、平面部４に当接する平部５ｂと、このフィルタをフィルタ取付枠に固定するための上流及び下流側の断面コ字状の端部（フランジ端部）５ｃとを含んでいる。なお、フィルタ枠５としては、合成樹脂製、金属製等のものを使用することができる。
平面部４は、フィルタパック３の上下端部とフィルタ枠５の平部５ｂとの間をシールするものであり、ガスケット６は、フィルタパック３の下流側端部とフィルタ枠５の舟部５ａとの間をシールするものである。また、フィルタ枠５の下流側端部には、クロロプレン系ゴム製のガスケット７が設けられている。
【０００８】
濾材１としては、合成繊維・無機質繊維等からなるフェルト、不織布、織布等の繊維体をプリーツ化したフィルタパックあるいは平状濾材を使用することができる。特に、フィルタパック３がプレフィルタであれば、重量法で７０〜９０％の濾材１を使用することができ、中性能フィルタであれば、比色法で５０〜９５％の濾材１を使用することができる。
リボン材２としては、ホットメルト樹脂等の溶融樹脂を使用することができる。このリボン材２の塗布量としては、５８０ｍｍ角のフィルタパックで７〜１１列、５６〜１１０ｇ／ｍ2とした場合には、リボン材２で形成される平面部４は８〜１０ｇ／列の溶融樹脂で形成することができる。この場合、平面部４の溶融樹脂量が８ｇ／列未満ではシール性に問題があり、溶融樹脂量が１０ｇ／列超では濾材１の濾過面積を小さくしてしまうため捕集効率が悪くなるという問題がある。
また、リボン材２で形成される平面部４の設置位置は、フィルタパック３の上下端面からの距離を１０ｍｍ以下とすることが好ましい。フィルタパック３の上下端面からの距離が１０ｍｍ超では、ガスケット６の設置幅よりも小さくなり、フィルタパック３の上下端部とフィルタ枠５の平部５ｂとの間に床材等の別部材を使用することなく、その間でのシール性を確保可能であるという効果を発揮できない可能性があるという問題がある。
【０００９】
フィルタパック３の下流通風面の周縁部とフィルタ枠５の舟部５ａとの間をシールするガスケット６は、低トルクで締め付け可能で、シール性にも優れるＰＶＣ発泡体を使用することが好ましい。また、ガスケット６はＰＶＣ発泡体に限定されることなく、５０％圧縮応力（ＪＩＳ  Ｋ６７６７準拠）が１０ｋＰａ以上、８０ｋＰａ未満となる材料からなるものであれば使用することができる。ここで、５０％圧縮応力が１０ｋＰａ未満であると、柔らかすぎて手組による圧着ではシール性に問題を生じる場合もある。また、５０％圧縮応力が８０ｋＰａ超であると、硬くてシール性を確保するのに大きなトルクが必要となり、ボルト締め、リベット留め等の機械的な締め付けが必要となるという問題がある。
【００１０】
フィルタ枠５の端部５ｃの下流側に設けられ、フィルタ枠５とフィルタ取付枠（図示せず）との間に設けられるガスケット７は、耐候性及び耐水性に優れるクロロプレン系ゴムあるいはＥＰＤＭを使用するのが好ましい。また、ボルト締め、リベット留め等の機械的な締め付けでフィルタ取付枠へ取り付けるので、シール性を確保するため、５０％圧縮応力が１００〜１５０ｋＰａと比較的硬いものを使用することが好ましい。
ここで、５０％圧縮応力が１００ｋＰａ未満であると、柔らかすぎて機械的締付方式ではガスケット７の厚みがなくなり、シール性に問題を生じる場合がある。また、５０％圧縮応力が１５０ｋＰａ超であると、あまりにも硬いため、シール性を確保するのに大きなトルクが必要となり、ボルト締め、リベット留め等の機械的な締め付けでも不適となる可能性がある。
【００１１】
本発明のエアフィルタのフィルタ構造は、通常のフィルタパックの１台を１フィルタとしたフラット型、あるいはフィルタパックの複数台をＶ字状に配置したダブルプリーツ型（以下の図２参照）等に使用することができる。
【実施例】
【００１２】
以下のように、プリーツタイプの一実施例のフィルタ（図１参照）とダブルプリーツタイプの他実施例のフィルタ（図２参照）を作製し、そのシール性を評価した。
（実施例１）
厚さ０．３８ｍｍ、目付け７０ｇ／ｍ2の濾材１を用いて、濾材１をジグザグ状に折り畳み、リボン材２を７列塗布してフィルタパック３を形成して、５０％圧縮応力が５６ｋＰａのＰＶＣ発泡体（サンゴバン社製「ノルシール」）のガスケット６（厚さ５ｍｍ・幅１２ｍｍ）を図１に示すようなフィルタ枠５の舟部５ａの内周側に設けて、フィルタパック３をフィルタ枠５の平部５ｂ、５ｂに沿って挿入して収容し、縦６１０ｍｍ・横６１０ｍｍ・奥行６５ｍｍの本発明の一実施例におけるエアフィルタを作製した。
なお、エアフィルタのフィルタパック３において、濾材１の片面のジグザグ状の一端縁近傍に塗布するリボン材２の量は約３０ｇで、両面で約６０ｇのリボン材２で平面部４を形成した。
なお、エアフィルタを取り付ける際、気密性を高めるために、フィルタ枠５の下流側に５０％圧縮応力が１２７ｋＰａのクロロプレン系ゴム（スターコーポレーション社製）のガスケット７（厚さ５ｍｍ×幅１２ｍｍ）を図１に示すように貼り付けた。
本発明の一実施例におけるエアフィルタは、平面部４、４によりフィルタパック３の上下端部を遮断し、フィルタ枠５の平部５ｂ、５ｂとフィルタパック３との間を通過する空気もガスケット６で遮断することができるため、優れたシール性を有するエアフィルタが得られた。また、エアフィルタ作製時にフィルタパック３を挿入する際にも破損等の不具合を生じないので安全であった。
【００１３】
（実施例２）
厚さ０．３８ｍｍ、目付け７０ｇ／ｍ2の濾材（図２では符号を付さず）を用いて、濾材をジグザグ状に折り畳み、リボン材（図２では符号を付さず）を７列塗布して複数のフィルタパック３’を形成し、例えば、補強帯（図２では符号を付さず）等により図２（ａ）に示すような連結フィルタパックを形成して、５０％圧縮応力が５６ｋＰａのＰＶＣ発泡体（サンゴバン社製「ノルシール」）のガスケット６’（厚さ５ｍｍ×幅１２ｍｍ）をフィルタ枠５’の舟部５ａ’の内周側に設けて、４台のフィルタパック３’を図２（ｂ）に示すようなフィルタ枠５’の平部に沿って挿入して収容し、縦６１０ｍｍ×横６１０ｍｍ×奥行２９０ｍｍの本発明の他の実施例におけるエアフィルタを作製した。
なお、エアフィルタの各フィルタパック３’において、濾材の片面のジグザグ状の一端縁近傍に塗布するリボン材の量は約３０ｇで、両面で約６０ｇのリボン材で平面部を形成した。
なお、エアフィルタを取り付ける際、気密性を高めるために、フィルタ枠５’の下流側に５０％圧縮応力が１２７ｋＰａのクロロプレン系ゴム（スターコーポレーション社製）のガスケット７’（厚さ５ｍｍ×幅１２ｍｍ）を図２（ｂ）に示すように貼り付けた。
本発明の他の実施例におけるエアフィルタは、一実施例におけるエアフィルタと同様に、平面部によりフィルタパック３’の上下端部を遮断し、フィルタ枠５’の平部と各フィルタパック３’との間を通過する空気もガスケット６’で遮断することができるため、優れたシール性を有するエアフィルタが得られた。また、エアフィルタ作製時にフィルタパック３’を挿入する際にも破損等の不具合も生じないので安全であった。
【産業上の利用可能性】
【００１４】
本発明は、取付時に不具合の起こりやすい床材を用いることなく良好なシール性を確保し、外調機に設けても耐候性、耐水性に優れるガスケットを使用したエアフィルタであるので、特に、外調機等のビル空調用に使用する際に利点を有する点で、産業上の利用可能性を有する。
【図面の簡単な説明】
【００１５】
【図１】本発明のエアフィルタの一実施形態を示す断面図
【図２】本発明のエアフィルタの他の実施例を示す斜視図（ａ）及び平面図（ｂ）
【図３】従来のエアフィルタの正常時（ａ）及び異常時（ｂ）の断面図
【符号の説明】
【００１６】
１、１１      濾材
２、１２      リボン材
３、１３      フィルタパック
４      平面部
５、１５      フィルタ枠
５ａ、１５ａ      舟部
５ｂ、１５ｂ      平部
５ｃ、１５ｃ      端部
６、１６      ガスケット
７、１７      ガスケット
１４      床材
【図１】
2008006416.tif 000003
【図２】
2008006416.tif 000004
【図３】
2008006416.tif 000005